(57)【要約】  【課題】  常に使用する追焚き装置に酸素富化装置他を追加し、外部入力装置のスイッチを押すだけで高濃度の酸素を混入した風呂運転を可能とする。  【解決手段】  浴槽水を循環する追焚き循環回路２０と、前記浴槽２１に設けた追焚きアダプタ２２と、高濃度の酸素を供給する酸素富化装置２６と、前記酸素富化装置２６からの高濃度の酸素を追焚き循環回路２０に混入させる混入手段２７と、酸素富化装置２６を制御する制御手段３０と、運転を指示する外部入力装置３１とを備え、前記外部入力装置３１から特定の運転モードの指示がなされたとき、前記制御手段３０は前記追焚き循環回路２０に混入させた高濃度の酸素を前記追焚きアダプタ２２より噴出させる酸素混入運転を行う構成としてある。【選択図】  図１
2005076943.tif 000002
【特許請求の範囲】
【請求項１】
浴槽水を循環する追焚き循環回路と、前記浴槽に設けた追焚きアダプタと、高濃度の酸素を供給する酸素富化装置と、前記酸素富化装置からの高濃度の酸素を追焚き循環回路に混入させる混入手段と、酸素富化装置を制御する制御手段と、運転を指示する外部入力装置とを備え、前記外部入力装置から特定の運転モードの指示がなされたとき、前記制御手段は前記追焚き循環回路に混入させた高濃度の酸素を前記追焚きアダプタより噴出させる酸素混入運転を行う構成とした酸素富化給湯装置。
【請求項２】
外部入力装置からの運転指示により、制御手段が追焚き循環回路に混入させた高濃度の酸素を追焚きアダプタより噴出させる場合に、前記外部入力装置から酸素混入運転を開始することを報知する構成とした請求項１記載の酸素富化給湯装置。
【請求項３】
タイマー運転機能を備え、外部入力装置によりタイマー運転が設定されたとき、設定されたタイマー時間だけ制御手段により追焚き循環回路に混入させた高濃度の酸素を追焚きアダプタより噴出する構成とした請求項１記載の酸素富化給湯装置。
【請求項４】
浴槽水位を検出する水位検出装置を備え、前記水位検出装置により浴槽の水位上昇を検出したとき、制御手段により追焚き循環回路に混入させた高濃度の酸素を追焚きアダプタより噴出させる酸素混入運転を開始する構成とした請求項１記載の酸素富化給湯装置。
【請求項５】
浴槽水位を検出する水位検出装置を備え、前記水位検出装置により浴槽の水位下降を検出したとき、制御手段により追焚き循環回路に混入させた高濃度の酸素を追焚きアダプタより噴出させる酸素混入運転を停止する構成とした請求項１記載の酸素富化給湯装置。
【請求項６】
浴槽水位を検出する水位検出装置を備え、前記水位検出装置の信号により所定期間浴槽水位の変動が確認できないとき、制御手段により追焚き循環回路に混入させた高濃度の酸素を追焚きアダプタより噴出させる酸素混入運転を行わない構成とした請求項１記載の酸素富化給湯装置。
【発明の詳細な説明】
【技術分野】
【０００１】
本発明は、追焚き循環回路を有する給湯器の追焚き配管を利用して、浴槽内の浴水中に酸素を供給する機能を有する給湯装置に関するものである。
【背景技術】
【０００２】
従来この種の酸素供給装置は、微細気泡発生装置やジェット噴射装置を取り付け、この各装置を介して浴槽水を循環させる泡風呂やジェットバス等の浴槽水を循環させる管路に気体を供給する供給部を設け、この供給部に酸素富化空気を供給するための酸素富化装置を設けたものである（例えば、特許文献１参照）。
【０００３】
図３は、特許文献１に記載された従来の浴槽内への酸素供給装置を示すものである。図４において、１は浴槽、２は管路、３は供給部、４は吸入口、５は吐出口、７は酸素富化装置、８はポンプである。
【特許文献１】特開平４−２３４７号公報
【発明の開示】
【発明が解決しようとする課題】
【０００４】
しかしながら上記従来の構成では、微細気泡発生装置やジェット噴射装置を取り付けた風呂装置において、泡風呂配管やジェットバス配管の管路の途中に酸素供給部を設け、この供給部に酸素富化空気を供給するものであるため、酸素を浴槽に供給するためには、微細気泡発生装置やジェット噴射装置を取り付け、専用の風呂システムを有することが必要であり、一般家庭で簡単に設置できるものではなかった。また、ジェットバスシステムでは流量が大きいため、電気代や騒音等の関連で長時間使用することが難しく、十分な酸素を供給することもできないという課題を有していた。
【０００５】
本発明は上記従来の課題を解決するもので、殆どの家庭で設置している追い焚き機能付き給湯機の追い焚き循環回路を用いて、酸素富化装置からの高濃度の酸素等の気体を混入させ、浴槽内に設置した追い焚き循環水を吐出する追焚きアダプタより噴出させる構成とし、かつリモコンにより特定の運転モードを選択したとき酸素混入運転を行う構成とすることで、特別な経路を付加することなく、安価に取り付け可能な、かつ循環流量も少なく、簡単な操作で、長時間の酸素等の気体の供給が可能な装置を提供することを目的とする。
【課題を解決するための手段】
【０００６】
上記目的を達成するため本発明の酸素富化給湯装置は、浴槽水を循環する追焚き循環回路と、前記浴槽に設けた追焚きアダプタと、高濃度の酸素を供給する酸素富化装置と、前記酸素富化装置からの高濃度の酸素を追焚き循環回路に混入させる混入手段と、酸素富化装置を制御する制御手段と、運転を指示する外部入力装置とを備え、前記外部入力装置から特定の運転モードの指示がなされたとき、前記制御手段は前記追焚き循環回路に混入させた高濃度の酸素を前記追焚きアダプタより噴出させる酸素混入運転を行う構成としてある。
【０００７】
上記発明によれば、常に使用する追焚き装置に酸素富化装置他を追加し、外部入力装置のスイッチを押すだけで高濃度の酸素を混入した風呂運転が可能となり、容易に浴槽水中に高濃度の酸素を混入させることができ、浴室内の酸素濃度を適正な値に確保することが可能となる。
【発明の効果】
【０００８】
以上のように本発明によれば、常に使用する追焚き装置に酸素富化装置他を追加し、外部入力装置のスイッチを押すだけで高濃度の酸素を混入した風呂運転が可能となり、容易に浴槽水中に高濃度の酸素を混入させることができ、浴室内の酸素濃度を適正な値に確保することが可能となる。
【発明を実施するための最良の形態】
【０００９】
請求項１に記載の発明は、浴槽水を循環する追焚き循環回路と、前記浴槽に設けた追焚きアダプタと、高濃度の酸素を供給する酸素富化装置と、前記酸素富化装置からの高濃度の酸素を追焚き循環回路に混入させる混入手段と、酸素富化装置を制御する制御手段と、運転を指示する外部入力装置とを備え、前記外部入力装置から特定の運転モードの指示がなされたとき、前記制御手段は前記追焚き循環回路に混入させた高濃度の酸素を前記追焚きアダプタより噴出させる酸素混入運転を行う構成としたことを特徴とするものである。
【００１０】
そして、外部入力装置のスイッチを押すだけで、混入手段によって酸素富化装置からの高濃度の酸素は追焚き配管の中の湯または水に混入され、この酸素が混入された湯または水が浴槽に取りつけた追焚きアダプタから噴出するときに、高濃度の酸素が気泡となって浴槽水の中を通過し、その後浴室内に充満するようになり、その結果、入浴中の人が高濃度の酸素を吸いながら湯につかることで、温浴効果を促進したり、居眠りを防止したりできる。また、浴槽水の中に酸素が溶け込むことにより雑菌の発生を押さえ、ぬめりや臭いを減少させる効果も期待できる。さらに、構成面でも酸素富化装置を給湯機のケーシングの中に納めたコンパクト設計が可能であり、余分なスペースも不要となって安価に製作できるため、一般の家庭への設置も可能である。
【００１１】
請求項２に記載の発明は、請求項１に記載の酸素富化給湯装置において、外部入力装置からの運転指示により、制御手段が追焚き循環回路に混入させた高濃度の酸素を追焚きアダプタより噴出させる場合に、前記外部入力装置から酸素混入運転を開始することを報知する構成としたことを特徴とするものであり、高濃度の酸素が気泡となって浴槽水の中を通過して出てくることを事前に報知することで、浴室内の入浴者が安心して酸素混入運転を使用することができるものである。
【００１２】
請求項３に記載の発明は、請求項１に記載の酸素富化給湯装置において、タイマー運転機能を備え、外部入力装置によりタイマー運転が設定されたとき、設定されたタイマー時間だけ制御手段により追焚き循環回路に混入させた高濃度の酸素を追焚きアダプタより噴出する構成としたことを特徴とするものであり、浴室内の入浴者がスイッチを押すとタイマーで設定された時間だけ酸素混入運転を行うことができ、万一、スイッチを切り忘れても自動的に酸素混入運転を停止することができ、使い勝手の向上が図れるとともに、省エネ効果も確保できるものである。
【００１３】
請求項４に記載の発明は、請求項１に記載の酸素富化給湯装置において、浴槽水位を検出する水位検出装置を備え、前記水位検出装置により浴槽の水位上昇を検出したとき、制御手段により追焚き循環回路に混入させた高濃度の酸素を追焚きアダプタより噴出させる酸素混入運転を開始する構成としたことを特徴とするものであり、外部入力装置のスイッチを押さなくても浴室内の入浴者が浴槽に入ると自動的に酸素混入運転を開始することができ、より使い勝手の向上が図れるものである。
【００１４】
請求項５に記載の発明は、請求項１に記載の酸素富化給湯装置において、浴槽水位を検出する水位検出装置を備え、前記水位検出装置により浴槽の水位下降を検出したとき、制御手段により追焚き循環回路に混入させた高濃度の酸素を追焚きアダプタより噴出させる酸素混入運転を停止する構成としたことを特徴とするものであり、外部入力装置のスイッチを押さなくても浴室内の入浴者が浴槽を出ると自動的に酸素混入運転を停止することができ、使い勝手の向上と省エネ効果を確保することができる。
【００１５】
請求項６に記載の発明は、請求項１に記載の酸素富化給湯装置において、浴槽水位を検出する水位検出装置を備え、前記水位検出装置の信号により所定期間浴槽水位の変動が確認できないとき、制御手段により追焚き循環回路に混入させた高濃度の酸素を追焚きアダプタより噴出させる酸素混入運転を行わない構成としたことを特徴とするもので、長期間浴槽のお湯が交換されない場合は浴槽のお湯が不衛生になっていることが想定され、浴室の入浴者が酸素混入運転を行うことが好ましい状態ではないため、酸素混入運転を行わないことにより、安全性に優れた酸素富化給湯装置を提供することができる。
【実施例】
【００１６】
図１は、本発明の一実施例における酸素富化給湯装置の全体構成図を示すものである。
【００１７】
９は給湯装置本体、１０は熱交換器１２を加熱するバーナ、１１はバーナ１０に燃焼空気を送るバーナファン、１３は燃焼空気の排気口、１４は給湯回路で、給湯入口１５から入った水が熱交換器１２で加熱されて給湯出口１６を経由してカラン１７等から吐出される。２９は追焚き循環回路２０に設けられた浴槽の水位を検出する水位検出手段、１８は風呂ポンプで浴槽水を循環し熱交換器１２で加熱した後、混入手段２７で酸素富化空気を混入する。浴槽２１には浴槽水を吸入する吸入口と、前記混入手段２７で混入された酸素富化空気と共に加熱された循環水を吐出する吐出口を設けた追焚きアダプタ２２が取り付けられている。
【００１８】
２３は酸素富化膜、２４は空気を減圧して酸素富化膜２３の間に通して高酸素濃度の空気を得るための真空ポンプ、２５は酸素富化膜２３に新鮮空気を送るための送風ファンであり、この２３〜２５で酸素富化装置２６を構成している。３０は酸素富化給湯装置の制御手段、３１は酸素富化給湯装置の外部入力装置である。
【００１９】
図２は外部入力装置３１の一例を示すもので、３２は酸素運転スイッチ、３３は酸素運転タイマーの設定スイッチである。
【００２０】
以上のように構成された酸素富化給湯装置について、その動作を説明する。
【００２１】
外部入力装置３１の酸素運転スイッチ３２を押すと、制御手段３０により酸素混入運転を開始する。混入手段２７によって酸素富化装置２６からの高濃度の酸素は追焚き循環回路２０を流れる循環水に混入され、この酸素が混入された湯または水が浴槽２１に取りつけた追焚きアダプタ２２から噴出するときに、高濃度の酸素が気泡２８となって浴槽水の中を通過し、その後、浴室内に充満するようになる。
【００２２】
この結果、入浴中の人が高濃度の酸素を吸いながら湯につかることで、温浴効果を促進したり、居眠りを防止したりできる。また、浴槽水の中に酸素が溶け込むことにより雑菌の発生を押さえ、ぬめりや臭いを減少させる効果も期待できる。そして、この構成であれば、給湯機のケーシング９の中に納まるので余分なスペースも不用であると共に、安価に作成も可能であるため、一般の家庭への設置も可能である。
【００２３】
また、外部入力装置３１の酸素運転スイッチ３２の入力をうけ制御手段３０により追焚き回路２０に混入させた高濃度の酸素を追焚きアダプタ２２より噴出させる場合に、外部入力装置３１から酸素混入運転を開始することを音声でお知らせすることで、高濃度の酸素が気泡となって浴槽水の中を通過して出てきても驚くことがなく、浴室内の入浴者が安心して酸素運転を使うことができるものである。
【００２４】
また、外部入力装置３１の酸素タイマースイッチ３３の入力でタイマーを設定し、タイマーで設定された時間だけ制御手段３０により追焚き回路２０に混入させた高濃度の酸素を追焚きアダプタ２２より噴出する構成としたもので、浴室内の入浴者がスイッチを押すとタイマーで設定された時間だけ酸素運転を行うことができ、万一スイッチを切り忘れても自動的に酸素運転を停止することができ、使い勝手・省エネルギに優れている。
【００２５】
また、追焚き循環回路２０に設けられた水位検出装置２９と、水位検出装置２９により浴槽の水位上昇を検出した場合に、制御手段３０により追焚き循環回路２０に混入させた高濃度の酸素を追焚きアダプタ２２より噴出させる酸素運転を開始するもので、外部入力装置３１の酸素運転スイッチ３２を押さなくても浴室内の入浴者が浴槽に入ると自動的に酸素運転を開始することができ、使い勝手に優れている。
【００２６】
また、追焚き循環回路２０に設けられた水位検出装置２９と、水位検出装置２９により浴槽の水位下降を検出した場合に、制御手段３０により追焚き循環回路２０に混入させた高濃度の酸素を追焚きアダプタ２２より噴出させる酸素運転を停止するもので、外部入力装置３１の酸素運転スイッチを切らなくても浴室内の入浴者が浴槽を出ると自動的に酸素運転を停止することができ、使い勝手・省エネルギーに優れている。
【００２７】
また、水位検出装置２９の信号により一定期間以上浴槽の湯が交換されない場合には、制御手段３０により追焚き循環回路２２に混入させた高濃度の酸素を追焚きアダプタ２２より噴出させる酸素運転を行わないもので、長期間例えば３日間浴槽のお湯が交換されない場合は浴槽のお湯が不衛生になっていることが想定され、浴室の入浴者が酸素運転を行うことが好ましい状態ではないため、酸素運転を行わないことにより安全性に優れている。
【図面の簡単な説明】
【００２８】
【図１】本発明の一実施例における酸素富化給湯装置の全体構成図
【図２】同酸素富化給湯装置における外部入力装置の外観図
【図３】従来の実施例の全体構成図
【符号の説明】
【００２９】
１８  ポンプ
２０  追焚き循環回路
２１  浴槽
２２  追焚きアダプタ
２６  酸素富化装置
２７  混入手段
２９  水位検出手段
３０  制御手段
３１  外部入力装置
【図１】
2005076943.tif 000003
【図２】
2005076943.tif 000004
【図３】
2005076943.tif 000005